(57)【要約】【課題】下線の有無に関係なく所定の正しい位置にほぼ真っ直ぐに押印できるとともに、比較的低コストで製造できる丸形印鑑を提供する。【解決手段】印柱１の上向き面２に、印の文字等の上側と縦方向を共に示す細長い目印３を固定的に設けた丸形印鑑において、その細長い目印３の位置が上向き面２の中央を通り、しかもその長さを上向き面２の直径と同じか、あるいは直径に近い長さに設定する。【選択図】  図１
2005153485.tif 000002
【特許請求の範囲】
【請求項１】
印柱（１）の上向き面（２）に、印の文字等の上側と縦方向を共に示す細長い目印（３）を固定的に設けた丸形印鑑において、その細長い目印（３）の位置が上向き面（２）の中央を通り、しかもその長さを少なくとも上向き面（２）の直径と同じか、あるいは直径に近い長さに設定した丸形印鑑。
【請求項２】
「直径に近い長さ」が、上向き面（２）の急に湾曲した周縁部を除いた部分の直径の少なくとも６０％以上である請求項１に記載の丸形印鑑。
【請求項３】
細長い目印（３）のより具体的な形状が、矢印状（矢印をイメージさせるものを含む）又はｉ字状又は上下が明確で左右対称の細長い具象的形状である請求項１又は請求項２に記載の丸形印鑑。
【請求項４】
印柱（１）の上向き面（２）が上下２段に構成され、下の段の拡開面に印の文字等の上側を示す目印（３）が設けられた丸形印鑑において、その目印（３）を印の文字等の縦方向に細長い形状にした丸形印鑑。
【発明の詳細な説明】
【技術分野】
【０００１】  本発明は丸形印鑑、特にほぼ真っ直ぐに押印できる丸形印鑑に関する。
【背景技術】
【０００２】  一般に、丸形印鑑で押印した結果として印影が多少傾くのはよくあることで、特に問題視されることはない。しかし、契約書その他の重要な文書に丸形の実印などで押印する場合、その傾きの程度が一定限度を超えると、その人の真面目さや人間性まで問われることになりかねない。そこで、そのような大切な場面で押印するときは、印影が見苦しく傾かないように細心の注意を払うわけであるが、それでも時には見苦しいほど傾いてしまうことがある。そのため、さほど苦労せずにほぼ真っ直ぐに押印できる丸形印鑑について、既に様々な提案がなされているが、いずれも問題点があるため普及していない。
例えば、従来の印柱の前面にあった目印を手前側に移した実用新案登録第３０７９５２５号の「真直ぐに捺せる印鑑」は、確かにほぼ真っ直ぐに押印できる。しかし、印の文字等の縦方向を見定めながら押印するときの目の位置の関係で、紙面等に下線がない場合は押印箇所が上か下にずれやすい。その上、他の印鑑の目印がすべて印柱の前面にあるため、慣れないうちは誤って逆さに押印してしまうおそれがある。
また、印柱の前面に従来どおりに目印を設けるとともに、印柱の左右側面にも目印を設けた実開平６−６３３３６の「筒状印鑑」は、縦書きの氏名等に押印する場合、その左右側面の目印はあまり役立たない。その上、従来の目印を残すとともに新たに二つの目印を設けたため、製造コストがアップする。
また、長めの方向指示棒を印柱の側面に展開自在に枢支した特開２００２−３３１７３６の「方向指示棒を有する印鑑」は、ほぼ真っ直ぐに押印できるに違いないが、製造コストが高くつき、しかも大袈裟な感じがして、人前で使うのが恥ずかしい。
また、印柱の上面に目印を設けた実開平１−１１９３５７の「目印し付き印材」は、上記の欠点はすべて解消されているものの、印柱の限られた広さの上面を有効に活用するという発想に欠けているため、真っ直ぐに押印しにくい。なお、その公報の第５図に描かれた目印は「Ｔ」の文字を逆さにしたものでもあるため、印の文字等の上側を示すものとは言えない。第７図も、印の文字等の縦方向しか示さず、どちらが印の文字等の上側か分からない。【０００３】
【特許文献１】実用新案登録第３０７９５２５号公報
【特許文献２】実開平６−６３３３６号公報
【特許文献３】特開２００２−３３１７３６号公報
【特許文献４】実開平１−１１９３５７号公報
【発明の開示】
【発明が解決しようとする課題】
【０００４】  本発明が解決しようとする課題は、下線の有無に関係なく、所定の正しい位置にさほど苦労せずにほぼ真っ直ぐに押印できるとともに、比較的低コストで製造できる丸形印鑑を提供することである。
【課題を解決するための手段】
【０００５】  本発明の丸形印鑑は、印柱の上向き面に、印の文字等の上側と縦方向を共に示す細長い目印を固定的に設けた丸形印鑑において、その細長い目印の位置が上向き面の中央を通り、しかもその長さを少なくとも上向き面の直径と同じか、あるいは直径に近い長さに設定したものである。【０００６】  また、本発明の丸形印鑑は、その「直径に近い長さ」を、上向き面の急に湾曲した周縁部を除いた部分の直径の少なくとも６０％以上に設定したものである。【０００７】    また、本発明の丸形印鑑は、その細長い目印のより具体的な形状を、矢印状（矢印をイメージさせるものを含む）又はｉ字状又は上下が明確で左右対称の細長い具象的形状としたものである。【０００８】  また、本発明の丸形印鑑は、印柱の上向き面が上下２段に構成され、下の段の拡開面に印の文字等の上側を示す目印が設けられた丸形印鑑において、その目印を印の文字等の縦方向に細長い形状にしたものである。
【発明の効果】
【０００９】  本発明の丸形印鑑は、図１のようにシンプルな形状の場合、従来の印柱の前面に固定的に設けられた目印の形状を変えて、単に印柱の上面に移すもので、基本的に従来の印鑑とほぼ同じコストで製造できる。
また、印柱の上方から印の文字等の上側と縦方向を確認しながら押印するという自然な姿勢と動作によって、下線の有無に関係なく所定の正しい位置に、印影がほとんど傾かないように、ほぼ真っ直ぐに押印することができる。
更に、目印の形状を細長くしたため、正方形その他の幅広の形状や連続部分の短い形状と比べて、縦方向を見定めやすい。
【発明を実施するための最良の形態】
【００１０】  本発明に係る丸形印鑑の最良の実施形態は、図１に示したように、印柱１の上向き面２の直径に極めて近い長さの矢印状の目印３を上向き面２の中央を通るように設けたものである。この目印３は金メッキした金属板を上向き面２に設けた窪みに接着するのが望ましい。矢印状の目印３の良い点は、その意味が多くの人に理解され、しかも印の文字等の上側と縦方向を見定めやすい点である。このほか、図２の（Ｅ）に示したように、「印鑑」をローマ字で書いたときの頭文字に当たる「ｉ」をイメージさせる目印３を採用するのもよい。
デザイン上その他の理由により、細長い目印３の長さを印柱の上向き面２の直径に極めて近い長さにできない場合でも、できるだけ長くすべきである。少なくとも、上向き面２の急に湾曲した周縁部を除いた部分の直径の６０％以上にすべきである。たとえ６０％未満、例えば５０％に短くしても、目印３を印柱１の前面に設けた従来の印鑑と比べると、印の文字等の縦方向の見定めやすさの点で明らかに優れている。しかし、その目印３の長さを直径に極めて近付けたものと比べると、その点は明らかに劣る。やはり、印柱１の限られた広さの上向き面２を有効に活用する必要がある。
なお、印柱１の上部がほぼ半球状でその下が徐々にすぼまり、続いて拡開する、上向き面２が２段になっている丸形印鑑においては、細長い目印３はその拡開部分にも設けるのが望ましい。あるいは、その場合は上面には目印３を設けず、その拡開面に、従来の小さな円形目印３の替わりに、印の文字等の縦方向に細長い形状の目印３を設けてもよい。
【実施例１】
【００１１】本発明の丸形印鑑の実施例１を図３により説明する。これはゴム製のキャップ状で、印の文字等の上側と縦方向を共に示す矢印状の目印３を頂部中央を通るように設けたものである。取り付け方法は、正しい方向を確認しながら、ゴムの弾力性を利用して印柱１の上部に被せるだけという簡単なものである。
【実施例２】
【００１２】  本発明の丸形印鑑の実施例２を図４により説明する。これは矢印状の目印３を透明シート４と感圧性接着剤５によって印柱１の上部に固定的に取り付けたものである。図４は裏返しにした拡大斜視図であり、目印３は剥離紙６の一部を利用しており、切り込み線７の両外側部分の剥離紙６を取り除いて、正しい方向を確認しながら、印柱１の上面に接着して固定する。即ち、素材が剥離紙６と同じ矢印状の目印３を透明シート４で覆った形で接着して固定することになる。
【図面の簡単な説明】
【００１３】
【図１】丸形印鑑の実施形態を示す斜視図である。
【図２】（Ａ）〜（Ｈ）  丸形印鑑の別の実施形態を示す平面図である。
【図３】丸形印鑑の上部に被せるキャップ体の実施形態を示す斜視図である。
【図４】丸形印鑑の上部に取り付ける接着物の実施形態を示す、裏返しにした拡大斜視図である。
【符号の説明】
【００１４】１：印柱
２：上向き面
３：目印
４：透明シート
５：感圧性接着剤
６：剥離紙
７：切り込み線
【図１】
2005153485.tif 000003
【図２】
2005153485.tif 000004
【図３】
2005153485.tif 000005
【図４】
2005153485.tif 000006